(57)【要約】【課題】画像を反転させて印刷する場合においても、画像欠損のなく適切に印刷する。【解決手段】原稿の天側から画像データを順次読み取る画像読み取り部２と、表面画像データを読み取られた順に天側から順次記憶すると共に、裏面画像データを読み取られた順に天側から順次記憶するＲＡＭ１２と、ＲＡＭ１２に記憶された表面画像データに基づいて第１のドラム４１に巻装するための孔版原紙Ｇを製版すると共に、ＲＡＭ１２に記憶された裏面画像データに基づいて第２のドラム５１に巻装するための孔版原紙Ｇを製版する製版部６と、外部入力に基づいて、天地の反転が要求された表面画像データがＲＡＭ１２に記憶された後に、ＲＡＭ１２から表面画像データを地側から順次読み出すことにより天地を反転し、この天地が反転された表面画像データに基づいて、製版部６に製版させる製版制御部２０ｂとを備える。【選択図】図２
2011083929.tif 000002
【特許請求の範囲】
【請求項１】
印刷媒体を第１の画像形成手段に圧接して前記印刷媒体の一方の面を印刷すると共に、この一方の面が印刷された印刷媒体の表裏を反転させた後、反転された印刷媒体を第２の画像形成手段に圧接して前記印刷媒体の他方の面を印刷することにより、前記印刷媒体の両面印刷を行う両面孔版印刷装置であって、
原稿の天側又は地側から当該原稿の画像データを順次読み取る画像読み取り手段と、
前記印刷媒体の一方及び他方の面をそれぞれ印刷するための第１の画像データ及び第２の画像データを、前記画像読み取り手段により読み取られた順序に従って記憶する画像データ記憶手段と、
前記画像データ記憶手段に記憶された第１の画像データに基づいて前記第１の画像形成手段に巻装するための第１の孔版原紙を製版すると共に、前記画像データ記憶手段に記憶された第２の画像データに基づいて前記第２の画像形成手段に巻装するための第２の孔版原紙を製版する製版手段と、
外部入力に基づいて、前記第１の画像データ及び前記第２の画像データのうち、いずれか一方の画像データの天地の反転が行われる場合、前記一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版手段に行わせる製版制御手段と、
を備えたことを特徴とする両面孔版印刷装置。
【請求項２】
外部入力に基づいて、上下開き印刷又は左右開き印刷を設定する印刷方向設定手段を、更に備え、
前記製版制御手段は、
前記印刷媒体の搬送方向と前記印刷媒体の長辺方向が略平行であり、前記印刷方向設定手段により左右開き印刷が設定された場合に、前記第１の画像データ及び前記第２の画像データのうち、いずれか一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版手段に行わせる
ことを特徴とした請求項１記載の両面孔版印刷装置。
【請求項３】
外部入力に基づいて、上下開き印刷又は左右開き印刷を設定する印刷方向設定手段を、更に備え、
前記画像読み取り手段は、
原稿の一方の面を天側から画像データを読み取ると共に、表裏が反転された前記原稿の他方の面を地側から画像データを順次読み取り、
前記製版制御手段は、
前記印刷媒体の搬送方向と前記印刷媒体の長辺方向が略平行であり、前記印刷方向設定手段により上下開き印刷が設定された場合に、前記第１の画像データ及び前記第２の画像データのうち、いずれか一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版手段に行わせる
ことを特徴とした請求項１記載の両面孔版印刷装置。
【請求項４】
印刷媒体を第１の画像形成手段に圧接して前記印刷媒体の一方の面を印刷すると共に、この一方の面が印刷された印刷媒体の表裏を反転させた後、反転された印刷媒体を第２の画像形成手段に圧接して前記印刷媒体の他方の面を印刷することにより、前記印刷媒体の両面印刷を行う両面孔版印刷方法であって、
原稿の天側又は地側から当該原稿の画像データを順次読み取る画像読み取りステップと、
前記印刷媒体の一方及び他方の面をそれぞれ印刷するための第１の画像データ及び第２の画像データを、前記画像読み取り手段により読み取られた順序に従って画像データ記憶手段に記憶させる画像データ記憶ステップと、
前記画像データ記憶手段に記憶された第１の画像データに基づいて前記第１の画像形成手段に巻装するための第１の孔版原紙を製版すると共に、前記画像データ記憶手段に記憶された第２の画像データに基づいて前記第２の画像形成手段に巻装するための第２の孔版原紙を製版する製版ステップと、
外部入力に基づいて、前記第１の画像データ及び前記第２の画像データのうち、いずれか一方の画像データの天地の反転が行われる場合、前記一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版ステップに行わせる製版制御ステップと、
を有することを特徴とする両面孔版印刷方法。
【発明の詳細な説明】
【技術分野】
【０００１】
本発明は印刷媒体の両面印刷が可能な両面孔版印刷装置に係り、特に、利用者が左右開き、上下開きの設定を行った場合においても、適切に両面印刷を行うことができる両面孔版印刷装置及び両面孔版印刷方法に関する。
【背景技術】
【０００２】
一般的に、製版された孔版原紙をドラムに巻き付けた後、印刷用紙をこのドラムに給紙し、この供給された印刷用紙をプレスローラによりドラムに圧接することにより印刷を行う孔版印刷装置が良く知られている。
【０００３】
特許文献１には、印刷用紙の両面印刷が可能な両面孔版印刷装置が提案されている。具体的には、第１の画像に基づいて製版された第１の孔版原紙を第１のドラムに巻き付けると共に、第２の画像に基づいて製版された第２の孔版原紙を第２のドラムに巻き付ける。そして、印刷用紙をこの第１のドラムに給紙し、印刷用紙を第１のプレスローラにより第１のドラムに圧接することで第１の画像を印刷用紙の表面に転写する。更に、この転写された印刷用紙の表裏を反転させた後、第２のドラムへ搬送し、印刷用紙を第２のプレスローラにより第２のドラムに圧接することで第２の画像を印刷用紙の裏面に転写する両面孔版印刷装置が提案されている。
【０００４】
また、特許文献２には、１枚の用紙に対して、複数の印刷画像を形成するリピート画像を行う場合、印刷用紙の天側部の画像欠けを減らすために、画像データを１８０度回転（反転）させて製版を行う両面孔版印刷装置が提案されている。
【０００５】
さらに、特許文献３には、読み込まれた画像データをメモリ装置に記憶し、このメモリ装置の書き込み順と逆のアドレス順で読み出し、サーマルヘッドへデータを送る孔版印刷機が提案されている。
【先行技術文献】
【特許文献】
【０００６】
【特許文献１】特開２００８−１４２９９４号公報
【特許文献２】特開２００７−３３１１５９号公報
【特許文献３】特開平１０−１６６５４４号公報
【発明の概要】
【発明が解決しようとする課題】
【０００７】
しかしながら、例えば、原稿の長辺方向と用紙搬送方向を平行にして読み込み、左右開き（長辺綴じ）の両面印刷を行う場合、特許文献２に記載された技術により画像データを１８０度回転（反転）させて製版を行う場合、特許文献１、３に記載の孔版印刷機を適用すると、メモリ装置の書き込み順と逆のアドレス順で読み出し、サーマルヘッドへデータを送るので、印刷された画像に欠損が生じる場合がある。具体的には、孔版印刷機は、原稿の天側から順に読み込まれる共に、天側の画像データから順にメモリに記憶される。そして、１８０度回転（反転）させて製版を行うために、メモリに記憶された画像データのうち地側から順に読み出し、サーマルヘッドへデータを送るので、メモリに地側の画像データが記憶される前に印刷してしまう場合があった。これにより、印刷された画像に欠損が生じ、部分的に白紙となる場合があった。
【０００８】
本発明は、上記課題に鑑みてなされたものであり、画像を反転させて印刷する場合においても、画像欠損のなく適切に印刷する両面孔版印刷装置及び両面孔版印刷方法を提供することを目的とする。
【課題を解決するための手段】
【０００９】
上記目的を達成するため、本発明に係る両面孔版印刷装置の第１の特徴は、印刷媒体を第１の画像形成手段に圧接して前記印刷媒体の一方の面を印刷すると共に、この一方の面が印刷された印刷媒体の表裏を反転させた後、反転された印刷媒体を第２の画像形成手段に圧接して前記印刷媒体の他方の面を印刷することにより、前記印刷媒体の両面印刷を行う両面孔版印刷装置であって、原稿の天側又は地側から当該原稿の画像データを順次読み取る画像読み取り手段と、前記印刷媒体の一方及び他方の面をそれぞれ印刷するための第１の画像データ及び第２の画像データを、前記画像読み取り手段により読み取られた順序に従って記憶する画像データ記憶手段と、前記画像データ記憶手段に記憶された第１の画像データに基づいて前記第１の画像形成手段に巻装するための第１の孔版原紙を製版すると共に、前記画像データ記憶手段に記憶された第２の画像データに基づいて前記第２の画像形成手段に巻装するための第２の孔版原紙を製版する製版手段と、外部入力に基づいて、前記第１の画像データ及び前記第２の画像データのうち、いずれか一方の画像データの天地の反転が行われる場合、前記一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版手段に行わせる製版制御手段とを備えたことにある。
【００１０】
上記目的を達成するため、本発明に係る両面孔版印刷装置の第２の特徴は、外部入力に基づいて、上下開き印刷又は左右開き印刷を設定する印刷方向設定手段を、更に備え、前記製版制御手段は、前記印刷媒体の搬送方向と前記印刷媒体の長辺方向が略平行であり、前記印刷方向設定手段により左右開き印刷が設定された場合に、前記第１の画像データ及び前記第２の画像データのうち、いずれか一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版手段に行わせることにある。
【００１１】
上記目的を達成するため、本発明に係る両面孔版印刷装置の第３の特徴は、外部入力に基づいて、上下開き印刷又は左右開き印刷を設定する印刷方向設定手段を、更に備え、前記画像読み取り手段は、原稿の一方の面を天側から画像データを読み取ると共に、表裏が反転された前記原稿の他方の面を地側から画像データを順次読み取り、前記製版制御手段は、前記印刷媒体の搬送方向と前記印刷媒体の長辺方向が略平行であり、前記印刷方向設定手段により上下開き印刷が設定された場合に、前記第１の画像データ及び前記第２の画像データのうち、いずれか一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版手段に行わせることにある。
【００１２】
上記目的を達成するため、本発明に係る両面孔版印刷装置の第４の特徴は、外部入力に基づいて、上下開き印刷又は左右開き印刷を設定する印刷方向設定手段を、更に備え、前記製版制御手段は、前記印刷媒体の搬送方向と前記印刷媒体の短辺方向が略平行であり、前記印刷方向設定手段により左右開き印刷が設定された場合に、前記第１の画像データ及び前記第２の画像データのうち、いずれか一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版手段に行わせることにある。
【００１３】
上記目的を達成するため、本発明に係る両面孔版印刷装置の第５の特徴は、外部入力に基づいて、上下開き印刷又は左右開き印刷を設定する印刷方向設定手段を、更に備え、前記画像読み取り手段は、原稿の一方の面を天側から画像データを読み取ると共に、表裏が反転された前記原稿の他方の面を地側から画像データを順次読み取り、前記製版制御手段は、前記印刷媒体の搬送方向と前記印刷媒体の短辺方向が略平行であり、前記印刷方向設定手段により上下開き印刷が設定された場合に、前記第１の画像データ及び前記第２の画像データのうち、いずれか一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版手段に行わせることにある。
【００１４】
上記目的を達成するため、本発明に係る両面孔版印刷方法の第１の特徴は、印刷媒体を第１の画像形成手段に圧接して前記印刷媒体の一方の面を印刷すると共に、この一方の面が印刷された印刷媒体の表裏を反転させた後、反転された印刷媒体を第２の画像形成手段に圧接して前記印刷媒体の他方の面を印刷することにより、前記印刷媒体の両面印刷を行う両面孔版印刷方法であって、原稿の天側又は地側から当該原稿の画像データを順次読み取る画像読み取りステップと、前記印刷媒体の一方及び他方の面をそれぞれ印刷するための第１の画像データ及び第２の画像データを、前記画像読み取り手段により読み取られた順序に従って画像データ記憶手段に記憶させる画像データ記憶ステップと、前記画像データ記憶手段に記憶された第１の画像データに基づいて前記第１の画像形成手段に巻装するための第１の孔版原紙を製版すると共に、前記画像データ記憶手段に記憶された第２の画像データに基づいて前記第２の画像形成手段に巻装するための第２の孔版原紙を製版する製版ステップと、外部入力に基づいて、前記第１の画像データ及び前記第２の画像データのうち、いずれか一方の画像データの天地の反転が行われる場合、前記一方の画像データが前記画像データ記憶手段に記憶された後に、前記一方の画像データが記憶された順序と逆の順序で、前記画像データ記憶手段から前記一方の画像データを順次読み出し、当該読み出した順序に従い前記一方の画像データの製版処理を前記製版ステップに行わせる製版制御ステップとを有することにある。
【発明の効果】
【００１５】
本発明に係る両面孔版印刷装置及び両面孔版印刷方法によれば、画像を反転させて印刷する場合においても、画像欠損のなく適切に印刷することができる。
【図面の簡単な説明】
【００１６】
【図１】本発明の実施例１である両面孔版印刷装置の構成を示した構成図である。
【図２】本発明の実施例１に係る両面孔版印刷装置の機能構成を示した機能構成図である。
【図３】本発明の実施例１に係る両面孔版印刷装置が備える操作部が有する表示／入力パネルの画面の一例を示した図である。
【図４】（ａ）は、本発明の実施例１に係る両面孔版印刷装置が備える画像読み取り部により読み取られた画像データを示した図であり、（ｂ）は、本発明の実施例１に係る両面孔版印刷装置が備えるＲＡＭから読み出された画像データを示した図であり、（ｃ）は、上下開きが設定された場合における両面印刷手順を模式的に示した図であり、（ｄ）は、上下開きが設定された場合の印刷用紙Ｗの仕上がり状態を説明した図である。
【図５】（ａ）は、本発明の実施例１に係る両面孔版印刷装置が備える画像読み取り部により読み取られた画像データを示した図であり、（ｂ）は、本発明の実施例１に係る両面孔版印刷装置が備えるＲＡＭから読み出された画像データを示した図であり、（ｃ）は、左右開きが設定された場合における両面印刷手順を模式的に示した図であり、（ｄ）は、左右開きが設定された場合の印刷用紙Ｗの仕上がり状態を説明した図である。
【図６】本発明の実施例１に係る両面孔版印刷装置の処理フローを示したフローチャートである。
【図７】本発明の実施例１に係る両面孔版印刷装置において、上下開きが設定されている場合における画像読み取り部、表面画像データ記憶部、及び製版部の動作を示したタイミングチャートである。
【図８】本発明の実施例１に係る両面孔版印刷装置において、左右開きが設定されている場合における画像読み取り部、表面画像データ記憶部、及び製版部の動作を示したタイミングチャートである。
【図９】（ａ）は、本発明の実施例１に係る両面孔版印刷装置が備える画像読み取り部により読み取られた画像データを示した図であり、（ｂ）は、本発明の実施例１に係る両面孔版印刷装置が備えるＲＡＭから読み出された画像データを示した図であり、（ｃ）は、左右開きが設定された場合における両面印刷手順を模式的に示した図であり、（ｄ）は、左右開きが設定された場合の印刷用紙Ｗの仕上がり状態を説明した図である。
【図１０】本発明の実施例３である両面孔版印刷装置１の構成を示した構成図である。
【図１１】（ａ）は、本発明の実施例３である両面孔版印刷装置１が備える画像読み取り部により読み取られた画像データを示した図であり、（ｂ）は、本発明の実施例３に係る両面孔版印刷装置が備えるＲＡＭから読み出された画像データを示した図であり、（ｃ）は、上下開きが設定された場合における両面印刷手順を模式的に示した図であり、（ｄ）は、上下開きが設定された場合の印刷用紙Ｗの仕上がり状態を説明した図である。
【図１２】（ａ）は、本発明の実施例４である両面孔版印刷装置１が備える画像読み取り部２により読み取られた画像データを示した図であり、（ｂ）は、本発明の実施例４に係る両面孔版印刷装置が備えるＲＡＭから読み出された画像データを示した図であり、（ｃ）は、上下開きが設定された場合における両面印刷手順を模式的に示した図であり、（ｄ）は、上下開きが設定された場合の印刷用紙Ｗの仕上がり状態を説明した図である。
【発明を実施するための形態】
【００１７】
本発明を実施するための形態について以下に説明する。
【実施例１】
【００１８】
本発明の実施例１では、上流側のドラムにより印刷用紙（印刷媒体）の表面を印刷し、下流側のドラムにより印刷用紙の裏面を印刷する２ドラム式の両面孔版印刷装置であって、画像を反転させて印刷する場合においても、画像欠損のなく適切に印刷する両面孔版印刷装置を例に挙げて説明する。
【００１９】
＜両面孔版印刷装置の構成＞
本発明の実施例１である両面孔版印刷装置の構成について説明する。
【００２０】
図１は、本発明の実施例１である両面孔版印刷装置の構成を示した構成図である。
【００２１】
図１に示すように、両面孔版印刷装置１は、画像読み取り部２と、給紙部３と、第１の印刷部４と、第２の印刷部５と、製版部６と、第１の排版部８と、第２の排版部９と、反転部１０と、排紙部１１とを備えている。
【００２２】
画像読み取り部２は、両面孔版印刷装置１の上部に設けられ、図示しないが、原稿を載置するコンタクトガラス、このコンタクトガラスに対して接離自在に設けられたカバー、コンタクトガラス上に載置された原稿を走査する走査ユニット、走査された画像を集束するレンズ、及び集束された画像を処理する画像処理部を備えている。
【００２３】
そして、画像読み取り部２は、走査ユニットがコンタクトガラス上に載置された原稿を天側から１ライン毎に走査し、画像処理部が走査された画像を処理することにより、後述する第１の印刷部４が印刷するための表面画像データ、及び後述する第２の印刷部５が印刷するための裏面画像データを読み取る。ここで、原稿の天側とは、利用者によりコンタクトガラス上に載置された原稿において走査ユニットが走査を開始する側のことをいう。
【００２４】
製版部６は、ロールされた長尺状の孔版原紙Ｇを収容する原紙収容部６１と、この原紙収容部６１の搬送下流に配置されたサーマルヘッド６２と、このサーマルヘッド６２の対向位置に配置されたプラテンロール６３と、このプラテンロール６３及びサーマルヘッド６２の搬送下流に配置された一対の原紙送りロール６４と、一対の原紙送りロール６４の搬送下流に配置された原紙カッタ６５とを有する。
【００２５】
そして、製版部６は、プラテンロール６３と原紙送りロール６４の回転により長尺状の孔版原紙Ｇを搬送し、画像読み取り部２により読み取られた表面画像データ又は裏面画像データに基づき、サーマルヘッド６２の各点状発熱体が選択的に発熱動作することにより孔版原紙Ｇに感熱穿孔して製版し、この製版された孔版原紙Ｇを原紙カッタ６５で切断して所定長さの孔版原紙Ｇを作製する。
【００２６】
また、製版部６は、図示しないレールによって図１におけるＸ方向に移動自在に支持されている。製版部６は、図示しない製版部駆動部によりレール上を移動することにより、後述する第１の印刷部４に製版した孔版原紙Ｇを供給する破線で示した位置と、後述する第２の印刷部５に製版した孔版原紙Ｇを供給する実線で示した位置とを選択的に占める。
【００２７】
第１の排版部８は、後述する第１の印刷部４の第１のドラム４１の外周面よりクランプ解除された孔版原紙Ｇを第１のドラム４１より引き剥がし、引き剥がされた孔版原紙Ｇを排版ボックス（図示しない）内に収納する。
【００２８】
第２の排版部９は、第１の排版部８と同様に、後述する第２の印刷部５の第２のドラム５１の外周面よりクランプ解除された孔版原紙Ｇを第２のドラム５１より引き剥がし、引き剥がされた孔版原紙Ｇを排版ボックス（図示しない）内に収納する。
【００２９】
給紙部３は、印刷用紙Ｗが積層される給紙台３１と、この給紙台３１から最上位置の印刷用紙Ｗのみを搬送させる１次給紙ロール３２と、この１次給紙ロール３２によって搬送された印刷用紙Ｗを後述する第１の印刷部４の第１のドラム４１の回転に同期して第１のドラム４１と第１のプレスローラ４３間に搬送する一対の２次給紙ロール３３とを有する。なお、給紙台３１には、１次給紙ロール３２から２次給紙ロール３３へ向かって搬送される搬送方向に対して、印刷用紙Ｗの長辺方向が略平行となるように印刷用紙Ｗが積層されてもよいし、印刷用紙Ｗの短辺方向が略平行となるように印刷用紙Ｗが積層されてもよい。
【００３０】
第１の印刷部４は、メインモータ（図示しない）の駆動力によって図１の矢印Ａ方向に回転する第１のドラム４１と、この第１のドラム４１の外周面に設けられ、孔版原紙Ｇ１の天側をクランプする原紙クランプ部４２と、印刷用紙Ｗを反転部１０へ搬送する搬送ベルト４４とを備えている。
【００３１】
また、第１の印刷部４は、第１のドラム４１の下方位置に配置された第１のプレスローラ４３を有し、この第１のプレスローラ４３は第１のドラム４１の外周面に押圧する押圧位置と、第１のドラム４１の外周面から離間する待機位置との間で変移可能に構成されている。第１のプレスローラ４３は、印刷モードの期間にあっては押圧位置に常時位置され、印刷モード以外の期間にあっては待機位置に位置されるようになっている。第１のプレスローラ４３は、給紙部３からの給紙動作に同期して待機位置から押圧位置に変移され、印刷用紙Ｗが第１のドラム４１の下部を通過する際のみ押圧位置に位置され、それ以外の時には待機位置に位置されるようになっている。
【００３２】
そして、製版部６から搬送される孔版原紙Ｇの天側を原紙クランプ部４２でクランプし、このクランプした状態で第１のドラム４１が回転されて孔版原紙Ｇが第１のドラム４１の外周面に巻き付け装着される。そして、第１のドラム４１の回転に同期して給紙部３より給紙される印刷用紙Ｗを第１のプレスローラ４３で第１のドラム４１に巻装された孔版原紙Ｇに押圧することによって、孔版原紙Ｇの穿孔からインクが転写されて画像が印刷用紙Ｗの表面に印刷されるようになっている。
【００３３】
第１のプレスローラ４３が第１のドラム４１に押圧することによって表面に画像が印刷された印刷用紙Ｗは、両端が一対の回転軸に巻きかけられた環状の搬送ベルト４４によって反転部１０に搬送される。
【００３４】
反転部１０は、第１の印刷部４に対して印刷用紙Ｗの搬送方向下流側に配置され、多孔構造に形成された環状の反転ベルト１０１が半円形状に配置されている。この反転ベルト１０１は、半円形状の補助部材１０２と一対のローラ１０３，１０４に巻きかけられ、一対のローラ１０３，１０４のうち少なくとも一方のローラが駆動モータ（不図示）で回転駆動される。また、反転ベルト１０１の内部には、吸引部１０５が設けられ、印刷用紙Ｗを反転ベルト１０１側に吸引する。反転ベルト１０１の上方に搬送された印刷用紙Ｗの印刷されていない他方の面を吸引して反転ベルト１０１を下方に向けて回転させることにより、印刷用紙Ｗの印刷された表面と印刷されていない裏面とを反転させ、この印刷用紙Ｗが反転された状態で積載台１０６に印刷用紙Ｗを搬送する。
【００３５】
積載台１０６には、表面と裏面とが反転された印刷用紙Ｗが積載される。
【００３６】
また、この積載台１０６は、複数枚の印刷用紙Ｗを積載できるようになっており、第１の印刷部４で表面に印刷された印刷用紙Ｗを積載台１０６に積載させて一時的に滞留させることでインクの乾燥時間を確保している。また、積載台１０６に所定枚数の印刷用紙Ｗが積載されると、積載された印刷用紙Ｗは、両端が一対の回転軸に巻きかけられた環状の中間搬送ベルト１０７によって搬送される。
【００３７】
中間搬送ベルト１０７は、多孔構造に形成され、内部に設けられた吸引手段１０８によって積載台１０６の最も下側に存在しているものから順に１枚ずつ吸引して印刷用紙Ｗを搬送する。また、搬送された印刷用紙Ｗは、中間搬送ベルト１０７に対して印刷用紙Ｗの搬送方向下流側に配置された一対のローラ１０９によって第２の印刷部５に搬送される。
【００３８】
第２の印刷部５は、第１の印刷部４と同様に、図１の矢印Ａ方向に回転する第２のドラム５１と、この第２のドラム５１の外周面に設けられ、孔版原紙Ｇの天側をクランプする原紙クランプ部５２と、第２のドラム５１の下方位置に配置された第２のプレスローラ５３とを有している。更に、第２の印刷部５は、反転部１０により反転された印刷用紙Ｗを第２のドラム５１の回転に同期して第２のドラム５１と第２のプレスローラ５３間に搬送する一対の２次給紙ロール５４を有している。
【００３９】
そして、第２の印刷部５は、第１の印刷部４と同様に、第２のドラム５１の回転に同期して一対の２次給紙ロール５４より給紙される印刷用紙Ｗを第２のプレスローラ５３で第２のドラム５１に巻装された孔版原紙Ｇに押圧することによって、孔版原紙Ｇの穿孔からインクが転写されて画像が印刷用紙Ｗの裏面に印刷されるようになっている。
【００４０】
排紙部１１は、印刷された印刷用紙Ｗが搬送される排紙ベルト１１１と、排紙ベルト１１１より排紙される印刷用紙Ｗが載置される排紙台１１２とを有する。
【００４１】
図２は、本発明の実施例１に係る両面孔版印刷装置１の機能構成を示した機能構成図である。
【００４２】
図２に示すように、本発明の実施例１に係る両面孔版印刷装置１は、画像読み取り部２と、給紙部３と、第１の印刷部４と、第２の印刷部５と、製版部６と、第１の排版部８と、第２の排版部９と、反転部１０と、排紙部１１と、ＲＡＭ１２と、ＲＯＭ１３と、操作部１５と、制御部２０とを備えている。
【００４３】
これらの構成のうち、画像読み取り部２と、給紙部３と、第１の印刷部４と、第２の印刷部５と、製版部６と、第１の排版部８と、第２の排版部９と、反転部１０と、排紙部１１とについては、上述したので、説明を省略する。
【００４４】
ＲＡＭ１２は、揮発性半導体等で構成され、制御部２０が各種処理を実行する上で必要なデータ等を記憶する。また、ＲＡＭ１２は、その機能上、表面画像データ記憶部１２ａと、裏面画像データ記憶部１２ｂとを備えている。
【００４５】
表面画像データ記憶部１２ａは、画像読み取り部２により印刷用紙Ｗの表面を印刷するための画像データが読み取られると、この読み取られた画像データを、読み取られた順に表面画像データとして記憶する。
【００４６】
裏面画像データ記憶部１２ｂは、画像読み取り部２により印刷用紙Ｗの裏面を印刷するための画像データが読み取られると、この読み取られた画像データを、読み取られた順に裏面画像データとして記憶する。
【００４７】
ＲＯＭ１３は、不揮発性半導体等で構成され、制御部２０が実行する各種制御プログラム等を記憶している。
【００４８】
操作部１５は、操作キーや表示／入力パネル等を備えており、利用者によって操作キーが押下操作され、又は表示／入力パネルがタッチ操作されることによって、操作信号を生成し、生成した操作信号を制御部２０へ供給する。
【００４９】
図３は、操作部１５が備える表示／入力パネルの画面の一例を示した図である。
【００５０】
操作部１５に備えられた表示／入力パネル７０は、前面に配置された感圧式或いは静電式の透明なタッチパネル（図示しない）と、このタッチパネルの裏面に配置された液晶表示パネル（図示しない）とを備えている。利用者は液晶表示パネルの表示画面を見ながら、タッチパネルの表面を指などで直接触れることで、図３に示すような画像読み取り設定を行うための設定画面を表示する。
【００５１】
図３に示すように、画像読み取り設定画面には、原稿から片面づつ画像を読み取るための片面ソフトキー７１と、原稿から両面同時に画像を読み取るための両面ソフトキー７２とが表示されている。そして、利用者が片面ソフトキー７１をタッチ操作すると、原稿のセット方向を設定する原稿セット方向ソフトキー７３と、仕上げめくり方向ソフトキー７４とを表示する。
【００５２】
さらに、利用者が仕上げめくり方向ソフトキー７４をタッチ操作すると、左右開きを設定するための左右開きソフトキー７５と、上下開きを設定するための上下開きソフトキー７６とを表示する。この左右開きソフトキー７５と上下開きソフトキー７６とは、いずれか一方が選択可能であり、選択された設定に基づいて、印刷用紙Ｗの仕上がり状態を示すプレビュー画像がプレビュー画像表示部７７に表示される。
【００５３】
上下開きが設定された場合、画像読み取り部２により読み取られた画像データは、読み取られた順に、順次ＲＡＭ１２に記憶され、記憶された順に読み出されて製版される。
【００５４】
図４（ａ）は、画像読み取り部２により読み取られた画像データを示した図であり、図４（ｂ）は、ＲＡＭ１２から読み出された画像データを示した図であり、図４（ｃ）は、上下開きが設定された場合における両面印刷手順を模式的に示した図であり、図４（ｄ）は、上下開き（短辺綴じ）が設定された場合の印刷用紙Ｗの仕上がり状態を説明した図である。
【００５５】
図４（ａ）に示すように、画像読み取り部２は、コンタクトガラス上に載置された原稿を天側から画像データを順次読み取る。
【００５６】
そして、図４（ｂ）に示すように、ＲＡＭ１２は、画像読み取り部２により原稿の表面から読み取られた画像データを、読み取られた順（天側から順）に表面画像データとして記憶し、表面画像データは、記憶された順（天側から順）にＲＡＭ１２から読み出される。同様に、ＲＡＭ１２は、画像読み取り部２により原稿の裏面から読み取られた画像データを、読み取られた順（天側から順）に裏面画像データとして記憶し、裏面画像データは、記憶された順（天側から順）にＲＡＭ１２から読み出される。
【００５７】
次に、図４（ｃ）に示すように、印刷用紙Ｗは、給紙台３１から搬送され、表面画像データに基づいて製版された孔版原紙が巻装された第１のドラム４１に圧接されることにより表面が印刷され、表面における天側を先頭として搬送される。そして、表面が印刷された印刷用紙Ｗは、反転部１０により表裏が反転され、表面における地側を先頭として搬送される。そして、表裏反転された印刷用紙Ｗは、第２のドラム５１に圧接されることにより裏面が印刷されて、排紙台１１２に排紙される。
【００５８】
このように、反転部１０により表裏が反転されることにより表面における地側が先頭として搬送されるので、両面が印刷された印刷用紙Ｗは、図４（ｄ）に示すように、表面と裏面とで天地が反転されて印刷される。
【００５９】
一方、左右開き（長辺綴じ）が設定された場合、画像読み取り部２により読み取られた表面画像データと裏面画像データは、読み取られた順に、天側から順次ＲＡＭ１２に記憶される。そして、表面画像データは、地側から順次読み出されることにより天地が反転され、この反転された表面画像データに基づいて製版され、裏面画像データは、天側から順に読み出されて製版される。
【００６０】
図５（ａ）は、画像読み取り部２により読み取られた画像データを示した図であり、図５（ｂ）は、ＲＡＭ１２から読み出された画像データを示した図であり、図５（ｃ）は、左右開きが設定された場合における両面印刷手順を模式的に示した図であり、図５（ｄ）は、左右開きが設定された場合の印刷用紙Ｗの仕上がり状態を説明した図である。
【００６１】
図５（ａ）に示すように、画像読み取り部２は、コンタクトガラス上に載置された原稿を天側から画像データを順次読み取る。
【００６２】
そして、図５（ｂ）に示すように、ＲＡＭ１２は、画像読み取り部２により原稿の表面から読み取られた画像データを、読み取られた順（天側から順）に表面画像データとして記憶し、表面画像データは、記憶された順序と逆の順序（地側から順）でＲＡＭ１２から読み出される。一方、ＲＡＭ１２は、画像読み取り部２により原稿の裏面から読み取られた画像データを、読み取られた順（天側から順）に裏面画像データとして記憶し、裏面画像データは、記憶された順序でＲＡＭ１２から読み出される。
【００６３】
次に、図５（ｃ）に示すように、印刷用紙Ｗは、給紙台３１から搬送され、天地が反転された表面画像データに基づいて製版された孔版原紙が巻装された第１のドラム４１に圧接されることにより印刷用紙Ｗの表面が印刷され、表面における地側を先頭として搬送される。そして、表面が印刷された印刷用紙Ｗは、反転部１０により表裏が反転され、表面における天側を先頭として搬送される。そして、表裏反転された印刷用紙Ｗは、第２のドラム５１に圧接されることにより裏面が印刷されて、排紙台１１２に排紙される。
【００６４】
このように、表面画像データは、天地が反転された表面画像データに基づいて製版されるので、両面が印刷された印刷用紙Ｗは、図５（ｄ）に示すように、天地が反転されることなく、表面と裏面とで同じ印刷方向で印刷される。
【００６５】
図２に示す制御部２０は、両面孔版印刷装置１の中枢的な制御を行う。また、制御部２０は、その機能上、印刷方向設定部２０ａと、製版制御部２０ｂと、印刷制御部２０ｃとを備える。
【００６６】
印刷方向設定部２０ａは、操作部１５から供給された操作信号に基づいて、上下開き印刷又は左右開き印刷を設定する。
【００６７】
製版制御部２０ｂは、印刷用紙Ｗの搬送方向と印刷用紙Ｗの長辺方向が略平行であり、印刷方向設定部２０ａにより左右開き印刷が設定された場合に、表面画像データ及び裏面画像データのうち、いずれか一方の画像データがＲＡＭ１２に記憶された後に、上記一方の画像データが記憶された順序と逆の順序で、ＲＡＭ１２にから一方の画像データを順次読み出し、当該読み出した順序に従い一方の画像データの製版処理を製版部６に行わせる。
【００６８】
また、製版制御部２０ｂは、印刷用紙Ｗの搬送方向及び画像データの読み取り方向と、印刷用紙Ｗの長辺方向とが略平行であり、印刷方向設定部２０ａにより上下開き印刷が設定された場合に、表面画像データ及び裏面画像データのうち、いずれか一方の画像データがＲＡＭ１２に記憶されると、一方の画像データが記憶された順序で、ＲＡＭ１２から一方の画像データを順次読み出し、当該読み出した順序に従い一方の画像データの製版処理を製版部６に行わせる。制御部２０ｂのこれらの処理の詳細な説明は後述する。
【００６９】
印刷制御部２０ｃは、給紙部３と、第１の印刷部４と、反転部１０と、第２の印刷部５と、排紙部１１とを制御して印刷処理を実行する。具体的には、印刷制御部２０ｃからの指示に基づいて、給紙部３が、給紙台３１に積層された印刷用紙Ｗを第１の印刷部４へ搬送し、第１の印刷部４が、この搬送された印刷用紙Ｗを第１のプレスローラ４３で第１のドラム４１に押圧することによって、印刷用紙Ｗの表面に表面画像データを印刷する。そして、反転部１０により、印刷用紙Ｗの表裏が反転された後、第２の印刷部５が、この搬送された印刷用紙Ｗを第２のプレスローラ５３で第２のドラム５１に押圧することによって、印刷用紙Ｗの裏面に裏面画像データを印刷する。さらに、排紙部１１が、両面が印刷された印刷用紙Ｗを排紙台１１２へ排紙する。
【００７０】
＜両面孔版印刷装置１の作用＞
次に、本発明の実施例１である両面孔版印刷装置の作用について説明する。
【００７１】
図６は、本発明の実施例１に係る両面孔版印刷装置１の処理フローを示したフローチャートである。ここでは、用紙搬送方向及び読み取り方向（以下、搬送方向と平行な原稿の長辺又は短辺の方向は、読み取り方向とも平行とする）に対して、印刷用紙Ｗの長辺方向が略平行となるように印刷用紙Ｗが積層されている場合を例に挙げて説明する。
【００７２】
図６に示すように、両面孔版印刷装置１の制御部２０は、利用者の操作により操作部１５から、印刷用紙Ｗの表面に印刷するための画像データの読み取りを要求する操作信号が供給されたか否かを判定する（ステップＳ１０１）。
【００７３】
ステップＳ１０１において、印刷用紙Ｗの表面に印刷するための画像データの読み取りを要求する操作信号が供給されたと判定した場合（ＹＥＳの場合）、制御部２０は、図３に示した画像読み取り設定画面において、仕上げめくり方向が上下開きに設定されているか、又は左右開きに設定されているかを判定する（ステップＳ１０３）。
【００７４】
ステップＳ１０３において、上下開きに設定されていると判定された場合、画像読み取り部２は、コンタクトガラス上に載置された原稿の天側から順に１ライン毎に表面画像データとして読み取る（ステップＳ１０５）。
【００７５】
次に、制御部２０は、ステップＳ１０７において読み取られた表面画像データを、読み取られた順に天側から１ライン毎に、ＲＡＭ１２の表面画像データ記憶部１２ａに記憶させる（ステップＳ１０７）。
【００７６】
そして、表面画像データが表面画像データ記憶部１２ａに記憶されると、制御部２０の製版制御部２０ｂは、表面画像データ記憶部１２ａから表面画像データが記憶された順に天側から１ライン毎に表面画像データを読み出し、この読み出された表面画像データに基づいて、第１のドラム４１に巻装するための孔版原紙Ｇを製版部６に製版させる（ステップＳ１０９）。
【００７７】
そして、制御部２０は、表面画像データに基づいて、第１のドラム４１に巻装するための孔版原紙Ｇの製版を完了した場合、処理を後述するステップＳ１２１に移行する（ステップＳ１１１）。
【００７８】
図７は、本発明の実施例１に係る両面孔版印刷装置１において、上下開きが設定されている場合における画像読み取り部２、表面画像データ記憶部１２ａ、及び製版部６の動作を示したタイミングチャートである。
【００７９】
図７に示すように、ｔ１時点において、画像読み取り部２は、コンタクトガラス上に載置された原稿の天側から順に１ライン毎に表面画像データとして読み取りを開始している。
【００８０】
次に、ｔ２時点において、表面画像データ記憶部１２ａが、読み取られた表面画像データを、読み取られた順に天側から１ライン毎に記憶を開始している。
【００８１】
さらに、ｔ３時点において、製版部６が、製版を開始している。具体的には、製版制御部２０ｂが、表面画像データ記憶部１２ａから表面画像データが記憶された順に天側から１ライン毎に表面画像データの読み出しを開始し、製版部６が、この読み出された表面画像データに基づいて、第１のドラム４１に巻装するための孔版原紙Ｇの製版を開始している。
【００８２】
一方、ステップＳ１０３において、左右開きに設定されていると判定された場合、制御部２０は、表面画像データの天地の反転を要求し、画像読み取り部２は、コンタクトガラス上に載置された原稿の天側から順に１ライン毎に表面画像データとして読み取る（ステップＳ１１３）。
【００８３】
次に、制御部２０は、ステップＳ１１３において読み取られた表面画像データを、読み取られた順に天側から１ライン毎に、ＲＡＭ１２の表面画像データ記憶部１２ａに記憶させる（ステップＳ１１５）。
【００８４】
次に、制御部２０の製版制御部２０ｂは、読み取られた表面画像データの全てが、表面画像データ記憶部１２ａへの記憶されたか否かを判定する（ステップＳ１１７）。
【００８５】
ステップＳ１１７において、読み取られた表面画像データの全てが、表面画像データ記憶部１２ａに記憶されたと判定された場合（ＹＥＳの場合）、制御部２０の製版制御部２０ｂは、表面画像データ記憶部１２ａから表面画像データが記憶された順序と逆の順序である地側から１ライン毎に表面画像データを読み出し、この読み出された表面画像データに基づいて、第１のドラム４１に巻装するための孔版原紙Ｇを製版部６に製版させる（ステップＳ１１９）。
【００８６】
図８は、本発明の実施例１に係る両面孔版印刷装置１において、左右開きが設定されている場合における画像読み取り部２、表面画像データ記憶部１２ａ、及び製版部６の動作を示したタイミングチャートである。
【００８７】
図８に示すように、ｔ１１時点において、画像読み取り部２は、コンタクトガラス上に載置された原稿の天側から順に１ライン毎に表面画像データとして読み取りを開始している。
【００８８】
次に、ｔ１２時点において、表面画像データ記憶部１２ａが、読み取られた表面画像データを、読み取られた順に天側から１ライン毎に記憶を開始している。
【００８９】
そして、読み取られた表面画像データの記憶が完了したｔ１３時点において、製版部６が、製版を開始している。具体的には、製版制御部２０ｂが、表面画像データ記憶部１２ａから表面画像データが記憶された順序と逆の順序で、地側から１ライン毎に表面画像データの読み出しを開始し、製版部６が、この読み出された表面画像データに基づいて、第１のドラム４１に巻装するための孔版原紙Ｇの製版を開始している。
【００９０】
次に、図６に示すように、制御部２０は、利用者の操作により操作部１５から、印刷用紙Ｗの裏面に印刷するための画像データの読み取りを要求する操作信号が供給されたか否かを判定する（ステップＳ１２１）。
【００９１】
ステップＳ１２１において、印刷用紙Ｗの裏面に印刷するための画像データの読み取りを要求する操作信号が供給されたと判定された場合、画像読み取り部２は、コンタクトガラス上に載置された原稿の天側から順に１ライン毎に裏面画像データとして読み取る（ステップＳ１２３）。
【００９２】
次に、制御部２０は、ステップＳ１２３において読み取られた裏面画像データを、読み取られた順に天側から１ライン毎に、ＲＡＭ１２の裏面画像データ記憶部１２ｂに記憶させる（ステップＳ１２５）。
【００９３】
そして、裏面画像データが裏面画像データ記憶部１２ｂに記憶されると、制御部２０の製版制御部２０ｂは、裏面画像データ記憶部１２ｂから裏面画像データが記憶された順に天側から１ライン毎に裏面画像データを読み出し、この読み出された裏面画像データに基づいて、第２のドラム５１に巻装するための孔版原紙Ｇを製版部６に製版させる（ステップＳ１２７）。
【００９４】
そして、制御部２０は、裏面画像データに基づいて、第２のドラム５１に巻装するための孔版原紙Ｇの製版が完了したか否かを判定する（ステップＳ１２９）。
【００９５】
次に、第２のドラム５１に巻装するための孔版原紙Ｇの製版が完了したと判定された場合、制御部２０の印刷制御部２０ｃは、印刷処理を実行する（ステップＳ１３１）。具体的には、印刷制御部２０ｃからの指示に基づいて、給紙部３が、給紙台３１に積層された印刷用紙Ｗを第１の印刷部４へ搬送し、第１の印刷部４が、この搬送された印刷用紙Ｗを第１のプレスローラ４３で第１のドラム４１に押圧することにより、印刷用紙Ｗの表面に表面画像データを印刷する。そして、反転部１０により印刷用紙Ｗの表裏が反転された後、第２の印刷部５が、この搬送された印刷用紙Ｗを第２のプレスローラ５３で第２のドラム５１に押圧することにより、印刷用紙Ｗの裏面に裏面画像データを印刷する。
【００９６】
以上のように、本発明の実施例１に係る両面孔版印刷装置１によれば、印刷用紙Ｗの搬送方向と印刷用紙Ｗの長辺方向が略平行であり、印刷方向設定部２０ａにより左右開き印刷が設定された場合に、表面画像データ及び裏面画像データのうち、いずれか一方の画像データがＲＡＭ１２に記憶された後に、一方の画像データが記憶された順序と逆の順序で、ＲＡＭ１２にから一方の画像データを順次読み出し、当該読み出した順序に従い一方の画像データの製版処理を製版部６に行わせるので、印刷された画像に欠損が生じて部分的に白紙となることなく適切に印刷することができる。
【００９７】
また、本発明の実施例１に係る両面孔版印刷装置１によれば、印刷用紙Ｗの搬送方向と印刷用紙Ｗの長辺方向が略平行であり、印刷方向設定部２０ａにより上下開き印刷が設定された場合に、表面画像データ及び裏面画像データのうち、いずれか一方の画像データがＲＡＭ１２に記憶されると、一方の画像データが記憶された順序で、ＲＡＭ１２から一方の画像データを順次読み出し、当該読み出した順序に従い一方の画像データの製版処理を製版部６に行わせるので、天地を反転する必要がない場合、適切に、かつ速く製版を行うことができる。
【００９８】
また、本発明の実施例１では、レール上を移動することにより、第１のドラム４１に巻装するための孔版原紙Ｇを製版するとともに、第２のドラム５１に巻装するための孔版原紙Ｇを製版する１つの製版部６を備える両面孔版印刷装置１を例に挙げて説明したが、これに限らない。
【００９９】
例えば、第１のドラム４１に巻装するための孔版原紙Ｇを製版する第１の製版部と、第２のドラム５１に巻装するための孔版原紙Ｇを製版する第２の製版部とを備える構成としてもよい。
【０１００】
この場合、第１の製版部による第１のドラム４１に巻装するための孔版原紙Ｇを製版する製版処理と、第２の製版部による第２のドラム５１に巻装するための孔版原紙Ｇを製版する製版処理とを並列処理することにより、両面の孔版の製版処理をより速く実行することができる。
【０１０１】
さらに、本発明の実施例１では、上流側の第１のドラム４１により印刷用紙Ｗの表面を印刷し、下流側の第２のドラム５１により印刷用紙の裏面を印刷する２ドラム式の両面孔版印刷装置１を例に挙げて説明したが、これに限らない。
【０１０２】
例えば、１つのドラムに第１の画像形成部と第２の画像形成部とを備え、第１の画像形成部により印刷用紙Ｗの表面を印刷し、第２の画像形成部により印刷用紙の裏面を印刷する１ドラム式の両面孔版印刷装置への適用も可能である。
【０１０３】
なお、本発明の実施例１では、上流側の第１のドラム４１により印刷用紙Ｗの表面を印刷し、下流側の第２のドラム５１により印刷用紙Ｗの裏面を印刷する両面孔版印刷装置１を例に挙げて説明したが、これに限らず、上流側の第１のドラム４１により印刷用紙Ｗの裏面を印刷し、下流側の第２のドラム５１により印刷用紙Ｗの表面を印刷するようにしてもよい。
【実施例２】
【０１０４】
本発明の実施例１では、印刷用紙Ｗの搬送方向と印刷用紙Ｗの長辺方向が略平行である場合に、ＲＡＭ１２に記憶した順序と逆の順序で画像データを読み出す両面孔版印刷装置を例に挙げて説明した。
【０１０５】
本発明の実施例２では、印刷用紙Ｗの搬送方向と印刷用紙Ｗの短辺方向が略平行である場合に、ＲＡＭ１２に記憶した順序と逆の順序で画像データを読み出す両面孔版印刷装置を例に挙げて説明する。なお、本発明の実施例２に係る両面孔版印刷装置１は、図１及び図２に示したそれぞれ本発明の実施例１である両面孔版印刷装置１が備えるそれぞれ同一符号が付された構成と同一であるので、説明を省略する。
【０１０６】
図９（ａ）は、画像読み取り部２により読み取られた画像データを示した図であり、図９（ｂ）は、ＲＡＭ１２から読み出された画像データを示した図であり、図９（ｃ）は、左右開きが設定された場合における両面印刷手順を模式的に示した図であり、図９（ｄ）は、左右開きが設定された場合の印刷用紙Ｗの仕上がり状態を説明した図である。
【０１０７】
図９（ａ）に示すように、画像読み取り部２は、コンタクトガラス上に載置された原稿を天側から画像データを順次読み取る。
【０１０８】
そして、図９（ｂ）に示すように、ＲＡＭ１２は、画像読み取り部２により原稿の表面から読み取られた画像データを、読み取られた順（天側から順）に表面画像データとして記憶し、表面画像データは、記憶された順序と逆の順序（地側から順）でＲＡＭ１２から読み出される。一方、ＲＡＭ１２は、画像読み取り部２により原稿の裏面から読み取られた画像データを、読み取られた順（天側から順）に裏面画像データとして記憶し、裏面画像データは、記憶された順序でＲＡＭ１２から読み出される。
【０１０９】
次に、図９（ｃ）に示すように、印刷用紙Ｗは、給紙台３１から搬送され、天地が反転された表面画像データに基づいて製版された孔版原紙が巻装された第１のドラム４１に圧接されることにより印刷用紙Ｗの表面が印刷され、表面における地側を先頭として搬送される。そして、表面が印刷された印刷用紙Ｗは、反転部１０により表裏が反転され、表面における天側を先頭として搬送される。そして、表裏反転された印刷用紙Ｗは、第２のドラム５１に圧接されることにより裏面が印刷されて、排紙台１１２に排紙される。
【０１１０】
このように、表面画像データは、天地が反転された表面画像データに基づいて製版されるので、両面が印刷された印刷用紙Ｗは、図９（ｄ）に示すように、天地が反転されることなく、表面と裏面とで同じ印刷方向で印刷される。
【０１１１】
このように、本発明の実施例２である両面孔版印刷装置１によれば、印刷用紙Ｗの搬送方向と印刷用紙Ｗの短辺方向が略平行である場合においても、本発明の実施例１である両面孔版印刷装置１と同様に、表面画像データ及び裏面画像データのうち、いずれか一方の画像データがＲＡＭ１２に記憶された後に、一方の画像データが記憶された順序と逆の順序で、ＲＡＭ１２にから一方の画像データを順次読み出し、当該読み出した順序に従い一方の画像データの製版処理を製版部６に行わせるので、印刷された画像に欠損が生じて部分的に白紙となることなく適切に印刷することができる。
【実施例３】
【０１１２】
本発明の実施例１では、コンタクトガラスに載置された原稿を読み込む画像読み取り部２を備えた両面孔版印刷装置１を例に挙げて説明したが、これに限らない。
【０１１３】
本発明の実施例３では、原稿を読み込むために自動的に原稿の紙送りを行うＡＤＦ（Auto Document Feeder）機能を有し、このＡＤＦ機能により供給された原稿を読み込む画像読み取り部２を備えた両面孔版印刷装置１を例に挙げて説明する。
【０１１４】
＜両面孔版印刷装置の構成＞
本発明の実施例３である両面孔版印刷装置の構成について説明する。
【０１１５】
図１０は、本発明の実施例３である両面孔版印刷装置１の構成を示した構成図である。
【０１１６】
図１０に示すように、両面孔版印刷装置１は、画像読み取り部２と、給紙部３と、第１の印刷部４と、第２の印刷部５と、製版部６と、第１の排版部８と、第２の排版部９と、反転部１０と、排紙部１１とを備えている。ここで、本発明の実施例３である両面孔版印刷装置１が備える画像読み取り部２以外の構成については、本発明の実施例１である両面孔版印刷装置１が備えるそれぞれ同一符号が付された構成と同一であるので、説明を省略する。
【０１１７】
画像読み取り部２は、被複写物である原稿Ｐをセットする原稿セット台２１と、原稿セット台２１上にセットされた原稿Ｐを搬送する第１の原稿搬送ローラ２２と、第１の原稿搬送ローラ２２により搬送された原稿Ｐをコンタクトガラス２５上へ誘導する第２の原稿搬送ローラ２３と、コンタクトガラス２５上で原稿Ｐを移動させる駆動ベルト２４と、コンタクトガラス２５上で画像が読み込まれた原稿Ｐを排出する第１，第２の排出ローラ２６，２７と、コンタクトガラス２５上で画像が読み込まれた原稿Ｐを反転する反転ローラ２８ａ，２８ｂとを備える。ここで、原稿の天側とは、利用者により原稿セット台２１に載置された原稿において図示しない走査ユニットが走査を開始する側、即ち原稿セット台２１上にセットされたときに第１の原稿搬送ローラ２２に接触する側のことをいう。
【０１１８】
画像読み取り部２は、原稿セット台２１に表面が上になるようにセットされた原稿Ｐを、第１の原稿搬送ローラ２２及び第２の原稿搬送ローラ２３により、表面における天側を先頭としてコンタクトガラス２５へ搬送し、図示しない走査ユニットによって、コンタクトガラス２５上に載置された原稿Ｐの天側から走査されることにより、原稿Ｐの表面画像データが読み込まれる。
【０１１９】
そして、表面画像データが読み込まれた原稿Ｐは、駆動ベルト２４により反転ローラ２８ａ，２８ｂ側へ移動され、反転ローラ２８ａ，２８ｂにより反転されることにより、裏面における地側を先頭として、再度、第２の原稿搬送ローラ２３によりコンタクトガラス２５へ搬送される。
【０１２０】
次に、搬送された原稿Ｐは、走査ユニットによって地側から走査されることにより、原稿Ｐの裏面画像データが読み込まれた後、第１，第２の排出ローラ２６，２７により排出される。
【０１２１】
図１１（ａ）は、本発明の実施例３である両面孔版印刷装置１が備える画像読み取り部２により読み取られた画像データを示した図であり、図１１（ｂ）は、ＲＡＭ１２から読み出された画像データを示した図であり、図１１（ｃ）は、上下開きが設定された場合における両面印刷手順を模式的に示した図であり、図１１（ｄ）は、上下開きが設定された場合の印刷用紙Ｗの仕上がり状態を説明した図である。
【０１２２】
図１１（ａ）に示すように、画像読み取り部２は、利用者により原稿セット台２１にセットされ、コンタクトガラス２５上へ誘導された原稿Ｐの表面を天側から表面画像データとして順次読み取る。そして、上述したＡＤＦ機能付きの画像読み取り部２が、原稿Ｐの表裏を反転させ、再度コンタクトガラス２５上へ誘導された原稿Ｐの裏面を地側から裏面画像データとして順次読み取る。
【０１２３】
そして、図１１（ｂ）に示すように、ＲＡＭ１２は、画像読み取り部２により原稿Ｐの表面から読み取られた表面画像データを、読み取られた順（天側から順）に記憶し、表面画像データは、記憶された順序（天側から順）でＲＡＭ１２から読み出される。また、ＲＡＭ１２は、画像読み取り部２により原稿Ｐの裏面から読み取られた裏面画像データを、読み取られた順（地側から順）に記憶し、裏面画像データは、記憶された順序と逆の順序（天側から順）でＲＡＭ１２から読み出される。
【０１２４】
次に、図１１（ｃ）に示すように、印刷用紙Ｗは、給紙台３１から搬送され、表面画像データに基づいて製版された孔版原紙が巻装された第１のドラム４１に圧接されることにより印刷用紙Ｗの表面が印刷され、表面における天側を先頭として搬送される。そして、表面が印刷された印刷用紙Ｗは、反転部１０により表裏が反転され、表面における地側を先頭として搬送される。そして、表裏反転された印刷用紙Ｗは、第２のドラム５１に圧接されることにより裏面が印刷されて、排紙台１１２に排紙される。
【０１２５】
このように、天地が反転された裏面画像データに基づいて製版されるので、両面が印刷された印刷用紙Ｗは、図１１（ｄ）に示すように、天地が反転されて印刷される。
【０１２６】
以上のように、本発明の実施例３である両面孔版印刷装置１によれば、ＡＤＦ機能により供給された原稿を読み込む画像読み取り部２を備えた場合においても、本発明の実施例１である両面孔版印刷装置１と同様に、表面画像データ及び裏面画像データのうち、いずれか一方の画像データがＲＡＭ１２に記憶された後に、一方の画像データが記憶された順序と逆の順序で、ＲＡＭ１２にから一方の画像データを順次読み出し、当該読み出した順序に従い一方の画像データの製版処理を製版部６に行わせるので、印刷された画像に欠損が生じて部分的に白紙となることなく適切に印刷することができる。
【実施例４】
【０１２７】
本発明の実施例３では、印刷用紙Ｗの搬送方向と印刷用紙Ｗの長辺方向が略平行である場合に、ＲＡＭ１２に記憶した順序と逆の順序で裏面画像データを読み出す両面孔版印刷装置を例に挙げて説明した。
【０１２８】
本発明の実施例４では、印刷用紙Ｗの搬送方向と印刷用紙Ｗの短辺方向が略平行である場合に、ＲＡＭ１２に記憶した順序と逆の順序で裏面画像データを読み出す両面孔版印刷装置を例に挙げて説明する。なお、本発明の実施例４に係る両面孔版印刷装置１は、図２に示したそれぞれ本発明の実施例１である両面孔版印刷装置１が備えるそれぞれ同一符号が付された構成、及び図１０に示したそれぞれ本発明の実施例３である両面孔版印刷装置１が備えるそれぞれ同一符号が付された構成と同一であるので、説明を省略する。
【０１２９】
図１２（ａ）は、本発明の実施例４である両面孔版印刷装置１が備える画像読み取り部２により読み取られた画像データを示した図であり、図１２（ｂ）は、ＲＡＭ１２から読み出された画像データを示した図であり、図１２（ｃ）は、上下開きが設定された場合における両面印刷手順を模式的に示した図であり、図１２（ｄ）は、上下開きが設定された場合の印刷用紙Ｗの仕上がり状態を説明した図である。
【０１３０】
図１２（ａ）に示すように、画像読み取り部２は、利用者により原稿セット台２１にセットされ、コンタクトガラス２５上へ誘導された原稿Ｐの表面を天側から表面画像データとして順次読み取る。そして、上述したＡＤＦ機能付きの画像読み取り部２が、原稿Ｐの表裏を反転させ、再度コンタクトガラス２５上へ誘導された原稿Ｐの裏面を地側から裏面画像データとして順次読み取る。
【０１３１】
そして、図１２（ｂ）に示すように、ＲＡＭ１２は、画像読み取り部２により原稿Ｐの表面から読み取られた表面画像データを、読み取られた順（天側から順）に記憶し、表面画像データは、記憶された順序（天側から順）でＲＡＭ１２から読み出される。また、ＲＡＭ１２は、画像読み取り部２により原稿Ｐの裏面から読み取られた裏面画像データを、読み取られた順（地側から順）に記憶し、裏面画像データは、記憶された順序と逆の順序（天側から順）でＲＡＭ１２から読み出される。
【０１３２】
次に、図１２（ｃ）に示すように、印刷用紙Ｗは、給紙台３１から搬送され、表面画像データに基づいて製版された孔版原紙が巻装された第１のドラム４１に圧接されることにより印刷用紙Ｗの表面が印刷され、表面における天側を先頭として搬送される。そして、表面が印刷された印刷用紙Ｗは、反転部１０により表裏が反転され、表面における地側を先頭として搬送される。そして、表裏反転された印刷用紙Ｗは、第２のドラム５１に圧接されることにより裏面が印刷されて、排紙台１１２に排紙される。
【０１３３】
このように、天地が反転された裏面画像データに基づいて製版されるので、両面が印刷された印刷用紙Ｗは、図１２（ｄ）に示すように、天地が反転されて印刷される。
【０１３４】
以上のように、本発明の実施例４である両面孔版印刷装置１によれば、ＡＤＦ機能により供給された原稿を読み込む画像読み取り部２を備えた場合であり、印刷用紙Ｗの搬送方向と印刷用紙Ｗの短辺方向が略平行である場合においても、本発明の実施例１である両面孔版印刷装置１と同様に、表面画像データ及び裏面画像データのうち、いずれか一方の画像データがＲＡＭ１２に記憶された後に、一方の画像データが記憶された順序と逆の順序で、ＲＡＭ１２にから一方の画像データを順次読み出し、当該読み出した順序に従い一方の画像データの製版処理を製版部６に行わせるので、印刷された画像に欠損が生じて部分的に白紙となることなく適切に印刷することができる。
【符号の説明】
【０１３５】
１…両面孔版印刷装置
２…画像読み取り部
３…給紙部
４…第１の印刷部
５…第２の印刷部
６…製版部
８…第１の排版部
９…第２の排版部
１０…反転部
１１…排紙部
１２…ＲＡＭ
１２ａ…表面画像データ記憶部（画像データ記憶手段）
１２ｂ…裏面画像データ記憶部（画像データ記憶手段）
１３…ＲＯＭ
１５…操作部
２０…制御部
２０ａ…印刷方向設定部
２０ｂ…製版制御部
２０ｃ…印刷制御部
４１…第１のドラム（第１の画像形成手段）
５１…第２のドラム（第２の画像形成手段）
【図１】
2011083929.tif 000003
【図２】
2011083929.tif 000004
【図３】
2011083929.tif 000005
【図４】
2011083929.tif 000006
【図５】
2011083929.tif 000007
【図６】
2011083929.tif 000008
【図７】
2011083929.tif 000009
【図８】
2011083929.tif 000010
【図９】
2011083929.tif 000011
【図１０】
2011083929.tif 000012
【図１１】
2011083929.tif 000013
【図１２】
2011083929.tif 000014